(57)【特許請求の範囲】
【請求項１】
送信側の拡散符号列と同一の符号列を用いて受信信号に逆拡散処理を施して送信データを復調する符号分割多重信号受信装置において、
自局宛送信データを拡散変調する拡散符号列と他局宛送信データを拡散変調する拡散符号列間の相互相関値を算出する相互相関検出部、
算出された相互相関値より、拡散符号列の干渉区間を判定する判定部、
干渉区間と判定された拡散符号列の全体あるいは該拡散符号列の一部に対応する受信信号部分の通過を停止し、あるいは該拡散符号列の全部あるいは該拡散符号列の一部に対応する受信信号部分の逆拡散処理を停止するスイッチ部、
を有することを特徴とする符号分割多重信号受信装置。
【請求項２】
送信側の拡散符号列と同一の符号列を用いて受信信号に逆拡散処理を施す逆拡散部、
逆拡散部より出力する逆拡散信号を用いて送信データを復号する復号部、
を備え、前記スイッチ部は逆拡散前の受信信号あるいは逆拡散信号を前記受信信号とみなし、前記拡散符号列の全体あるいは一部に対応する逆拡散信号部分の通過を停止する、
ことを特徴とする請求項１記載の符号分割多重信号受信装置。
【請求項３】
前記逆拡散符号列あるいは逆拡散信号を所定時間遅延する遅延部を備え、遅延部は遅延処理により前記スイッチ部に入力する逆拡散信号のタイミングを、相互相関値の検出タイミングに合わせる、
ことを特徴とする請求項２記載の符号分割多重信号受信装置。
【請求項４】
前記相互相関検出部は、予め拡散符号列間の相互相関値を算出し、相互相関値より干渉区間と判定された拡散符号列の位置を保存し、
前記スイッチ部は保存位置に応じた拡散符号列の全体または該拡散符号列の一部について受信信号部分の通過を停止する、
ことを特徴とする請求項１記載の符号分割多重信号受信装置。
【請求項５】
前記スイッチ部は受信信号部分の通過を停止する際、予め定める低レベルの信号を出力することを特徴とする請求項１または請求項２または請求項３または請求項４記載の符号分割多重信号受信装置。
【請求項６】
送信側の拡散符号列と同一の符号列を用いて受信信号に逆拡散処理を施して送信データを復調する符号分割多重信号受信装置において、
拡散変調された自局宛送信データと拡散変調された他局宛送信データ間の相互相関値を算出する相互相関検出部、
算出された相互相関値より、拡散符号列の干渉区間を判定する判定部、
干渉区間と判定された拡散符号列の全体あるいは該拡散符号列の一部に対応する受信信号部分の通過の停止、あるいは該拡散符号列の全部あるいは該拡散符号列の一部に対応する受信信号部分の逆拡散処理を停止するスイッチ部、
を有することを特徴とする符号分割多重信号受信装置。
【請求項７】
送信側の拡散符号列と同一の符号列を用いて受信信号に逆拡散処理を施して送信データを復調する受信装置における受信方法において、
自局宛送信データを拡散変調する拡散符号列と他局宛送信データを拡散変調する拡散符号列間の相互相関値より、拡散符号列の干渉区間を判定し、
干渉区間と判定された拡散符号列の全体あるいは該拡散符号列の一部に対応する受信信号部分について、逆拡散処理または復号処理の対象から除外する、
ことを特徴とする受信装置における受信方法。
【請求項８】
送信側の拡散符号列と同一の符号列を用いて受信信号に逆拡散処理を施して送信データを復調する受信装置における受信方法において、
拡散変調された自局宛送信データと拡散変調された他局宛送信データ間の相互相関値より、拡散符号列の干渉区間を判定し、
干渉区間と判定された拡散符号列の全体あるいは該拡散符号列の一部に対応する受信信号部分について、逆拡散処理または復号処理の対象から除外する、
ことを特徴とする受信装置における受信方法。
【発明の詳細な説明】
【技術分野】
【０００１】
本発明は符号分割多重信号受信装置及び受信方法に係り、特に、符号分割多重通信システムにおいて拡散変調信号を受信して送信データを再生する符号分割多重信号受信装置及び受信方法に関する。
【背景技術】
【０００２】
ＣＤＭＡ（Ｃｏｄｅ Ｄｉｖｉｓｉｏｎａｌ Ｍｕｌｔｉｐｌｅ Ａｃｃｅｓｓ）移動通信システムにおいて、基地局は制御情報や各ユーザ情報を異なる拡散符号列を用いて拡散変調して多重伝送し、各移動局は基地局より指定された拡散符号列を用いて情報を拡散、逆拡散して送受信する。
図１６は制御チャネル及び複数のユーザチャネルの送信データを符号多重して伝送する基地局装置のＣＤＭＡ送信機の構成図である。図中、１１１〜１１ｎはそれぞれ制御チャネル、ユーザチャネルの拡散変調部であり、それぞれ、フレーム生成部２１、フレームデータを並列データに変換する直列／並列変換部（Ｓ／Ｐ変換部）２２、拡散回路２３を備えている。
フレーム生成部２１は、直列の送信データＤ１を発生する送信データ発生部２１ａ、パイロット等の制御データＣＮＤＴを発生する制御データ発生部２１ｂ、直列データＤ１を所定ビット数毎にブロック化し、その前後に制御データＣＮＤＴを挿入してフレーム化するフレーム化部２１ｃを備えている。パイロット信号は伝送による位相回転量を受信機において認識してデータにその分逆方向に位相回転を施すためのものである。
Ｓ／Ｐ変換部２２はフレームデータ（制御データ及び送信データ）を１ビットづつ交互に振り分けて同相成分（Ｉ成分：Ｉｎ−Ｐｈａｓｅｃｏｍｐｏｎｅｎｔ）データと直交成分（Ｑ成分：Ｑｕａｄｒａｔｕｒｅ ｃｏｍｐｏｎｅｎｔ）データの２系列ＤＩ，ＤＱに変換する。拡散回路２３は基地局固有の雑音符号（ｐｎ系列）を発生するｐｎ系列発生部２３ａ、制御チャネルやユーザチャネル固有のチャネル符号を発生するチャネルコード発生器２３ｂ、雑音符号とチャネル符号のＥＯＲ（排他的論理和）を演算して拡散符号Ｃ１を出力するＥＸＯＲ回路２３ｃ、２系列のデータＤＩ，ＤＱ（シンボル）と拡散符号Ｃ１の排他的論理和を演算して拡散変調するＥＸＯＲ回路２３ｄ、２３ｅを備えている。
１２ｉは各制御チャネル、ユーザチャネルの拡散変調部１１１〜１１ｎから出力されるＩ成分の拡散変調信号ＶＩを合成してＩ成分の符号多重信号ΣＶＩを出力する合成部、１２ｑは各拡散変調部１１１〜１１ｎから出力されるＱ成分の拡散変調信号ＶＱを合成してＱ成分の符号多重信号ΣＶＱを出力する合成部、１３ｉ，１３ｑは各符号多重信号ΣＶＩ，ΣＶＱの帯域を制限するＦＩＲ構成のチップ整形フィルタ、１４ｉ，１４ｑは各フィルタ１３ｉ，１３ｑの出力をＤＡ変換するＤＡコンバータ、１５はＩ，Ｑ成分の符号多重信号ΣＶＩ，ΣＶＱにＱＰＳＫ直交変調を施して出力する直交変調器、１６は直交変調器の出力信号周波数を無線周波数に変換すると共に高周波増幅して送出する送信回路、１７はアンテナである。
図１７は移動局のＣＤＭＡ受信部の構成図である。無線部３１は、アンテナ３０により受信した高周波信号をベースバンド信号に周波数変換（ＲＦ→ＩＦ変換）する。直交検波器３２はベースバンド信号を直交検波し、同相成分（Ｉ成分）データと直交成分（Ｑ成分）データを出力する。直交検波器３２において、３２ａは受信キャリア発生部、３２ｂは受信キャリアの位相をπ／２シフトする位相シフト部、３２ｃ，３２ｄは乗算器でありベースバンド信号に受信キャリアを乗算してＩ成分信号及びＱ成分信号を出力するものである。ローパスフィルタ（ＬＰＦ）３３ａ，３３ｂは出力信号の帯域を制限し、ＡＤ変換器３５ａ，３５ｂはＩ成分信号、Ｑ成分信号をそれぞれディジタル信号に変換し、逆拡散回路４１に入力する。
逆拡散回路４１は、入力するＩ成分信号及びＱ成分信号に送信側の拡散符号と同じ符号を用いて逆拡散処理を施して参照信号（パイロット信号）、情報信号を出力する。位相補償部（チャネル推定部）４２はパイロット信号のＩ成分、Ｑ成分をそれぞれ所定スロット数分電圧平均して、チャネル推定信号Ｉｔ，Ｑｔを出力する。同期検波部４３は受信信号に含まれるパイロット信号と既知のパイロット信号間の位相差θに基づいて、逆拡散された情報信号Ｉ′、Ｑ′の位相を元に戻す。すなわち、チャネル推定信号Ｉｔ，Ｑｔは位相差θのcos成分、sin成分であるから、同期検波部４３はチャネル推定信号（It，Qt）を用いて次式
【数１】
0004326218.tif 000002
により受信情報信号（Ｉ′，Ｑ′）に位相回転処理を施して受信情報信号（Ｉ，Ｑ）の復調（同期検波）を行う。誤り訂正復号器４４は同期検波部４３より入力する信号を用いて元の送信データを復号して出力する。
以上の移動無線通信システムにおいて、通常、基地局は移動局との間の通信に固定した指向性パターンを用いることができず、無指向性アンテナを用いて通信を行う。しかし、無指向性アンテナによる送信は目的とする移動局の存在しない方向にも電波を放射するため電力効率が悪いだけでなく、目的とする移動局以外の移動局に干渉を与え通信品質を劣化させる。このため、基地局の周り３６０°を等分してセルを複数のセクタに分割し（扇形ゾーン）、各セクタにおいて指向性アンテナを用いることにより上記干渉を軽減することが行われている。
図１８はセクタ化した場合における符号分割多重通信システムの送受信装置の概略構成図、図１９は送受信処理の流れ図であり、１つの基地局装置ＢＳから隣接する２つのセクタ内の移動局装置ＭＳ１，ＭＳ２にそれぞれユーザデータ信号Ｄａｔａ１，Ｄａｔａ２を伝送する場合の例を示している。ここで、基地局装置ＢＳにおける各セクタ部Ｓｅｃ１，Ｓｅｃ２は、個別に指向性を有する送受信アンテナＡＮＴ１，ＡＮＴ２を有しており、その指向特性によって各々が地理的に独立したカバーエリア（セクタ）への送受信を担当している。
ユーザデータ信号Ｄａｔａ１，Ｄａｔａ２は、各セクタＳｅｃ１，Ｓｅｃ２毎にチャネル符号化部ＣＨ−ｃｏｄ１，ＣＨ−ｃｏｄ２で誤り訂正処理等のための符号化処理を施され、拡散回路ＳＣ１，ＳＣ２に入力される。符号化データＣｄａｔａ１，Ｃｄａｔａ２は拡散符号生成器ＰＮＧ１１，ＰＮＧ１２によって生成される互いに異なる拡散符号系列ＰＮ１，ＰＮ２によって拡散回路ＳＣ１，ＳＣ２で拡散変調され、送信信号Ｓｄａｔａ１，Ｓｄａｔａ２となる。各セクタＳｅｃ１，Ｓｅｃ２で使用する拡散符号ＰＮ１，ＰＮ２は、例えば同一の生成多項式から生成されるＭ系列の中の位相の異なる部分から生成する。これにより、生成された拡散符号は互いの相互相関の値が平均的に低い値となる。
一方、移動局装置ＭＳ１，ＭＳ２の受信機において、逆拡散回路ＲＳＣ１，ＲＳＣ２は、基地局装置で使用した拡散符号列に同期した同一の符号列ＰＮ１′（＝ＰＮ１），ＰＮ２′（＝ＰＮ２）で受信した信号Ｓｄａｔａ１′，Ｓｄａｔａ２′を各々、逆拡散復調し、チャネル復号化部（ＣＨ−Ｄｅｃ１，ＣＨ−Ｄｅｃ２）で受信信号Ｄａｔａ１′，Ｄａｔａ２′を各々復号化する。
この時、移動局装置ＭＳ１，ＭＳ２が位置する地理的な条件により、例えば基地局装置ＢＳの２つのセクタＳｅｃ１，Ｓｅｃ２のアンテナ指向性がオーバラップした部分にいること等により、両方のアンテナＡＴＮ１，ＡＴＮ２からの信号を各移動局装置のアンテナＡＮＴ１′、ＡＴＮ２′が同時に受信する場合がある。この場合、２つの送信信号は互いに異なる拡散符号列で拡散変調されているため、移動局が受信する所望の受信信号以外の受信信号は干渉雑音となり、受信復調信号に残留することとなる。しかし、この干渉雑音は平均的に拡散符号間の相互相関値で定まる低い値となるため、チャネル復号化部ＣＨ−Ｄｅｃ１，ＣＨ−Ｄｅｃ２の誤り訂正機能等によってその影響は除去され、送信側で送信したユーザデータと同一のデータが受信装置出力Ｄａｔａ１′，Ｄａｔａ２′として再生される。
相互相関特性が平均的に問題のない特性をもつ様に選択されている場合であっても、低い拡散率（＝シンボル周期／チップ周期）で通信を行う必要のある高速データ伝送時等には、瞬間的に相互相関特性が劣化する場合がある。図２０は擬似雑音系列（拡散符号列）間の部分相関特性説明図であり、２つの送信データＤａｔａ１，Ｄａｔａ２を拡散変調する時の拡散率が４の場合（１シンボルを４チップで拡散）を示す。２つの拡散符号列（ＰＮ１，ＰＮ２）間の相互相関値は１シンボル（＝４チップ長）当り同じ時刻に同一の極性のチップが何個あるかで表わされる。図で網かけをしたシンボルについてはその１シンボル期間の間に３チップが互いに同一の極性であり、相互相関値が極めて大きくなっている。この様に、相互相関特性が局所的に悪い場合、その部分を使って送信データを拡散変調して伝送すると、図２１に示すように受信側で逆拡散した後における相互の干渉雑音が該シンボル部分で大きくなり（網掛け部参照）、伝送特性の局所的劣化を招くことになる。この局所的な伝送特性の劣化の大半は、信号対雑音比情報を使用して、チャネル復号化部ＣＨ−Ｄｅｃ１，ＣＨ−Ｄｅｃ２における誤り訂正復号処理で訂正されて、正しいデータが復元されることになる。しかし、前記局所的劣化がない場合に比較すると、一定の伝送品質を満足させるために、平均的な所要電力の増加に伴うシステム全体の干渉電力増大等が発生し、システム容量（収容可能ユーザ数）の減少等の好ましくない結果をもたらすこととなる。
また、信号対雑音比をシンボル単位で精度よく推定することは困難であり、従って、受信信号中の特定のシンボルにおける局所的な干渉雑音の増大を検出して適正に受信処理を行うことも難しい。
【発明の概要】
【発明が解決しようとする課題】
【０００３】
以上から、本発明の目的は拡散符号間の瞬時的な相互相関特性の劣化による信号相互間の干渉を除去し、高品質な受信を可能にすることである。
【課題を解決するための手段】
【０００４】
送信側の拡散符号列と同一の符号列を用いて受信信号に逆拡散処理を施して送信データを復調する符号分割多重信号受信装置において、（１）自局宛送信データを送信側で拡散変調するための拡散符号列と他局宛送信データを送信側で拡散変調するための拡散符号列間の相互相関値をシンボル毎に算出し、（２）算出された相互相関値が閾値を超えるシンボルの全体あるいは該シンボルの一部に対応する受信信号部分の復号部への入力を停止し、（３）復号部は入力された受信信号に基づいて復号処理する。
かかる符号分割多重信号受信装置によれば、拡散符号列間の相互相関値が大きくなって干渉雑音が増大する場合、雑音増大期間のシンボルを非受信シンボルとして除外して受信処理するから、受信信号の品質改善が可能となる。
【発明の効果】
【０００５】
本発明の符号分割多重信号受信装置によれば、相互相関の局所的な劣化に起因して干渉雑音が増大する特定のシンボル部分を予め除外して受信処理できるため、受信信号の品質改善が可能となる。
【図面の簡単な説明】
【０００６】
【図１】図１は第１実施例における符号分割多重通信システムである。
【図２】図２は第１実施例の変形例である。
【図３】図３は相互相関検出制御部の構成図である。
【図４】図４は相互相関検出制御部の動作説明図である。
【図５】図５は相互相関検出制御部の別の構成図である。
【図６】図６は相互相関検出制御部の動作説明図である。
【図７】図７は第２実施例における符号分割多重通信システムである。
【図８】図８は相互相関検出制御部及び符号一致チップ検出部の構成図である。
【図９】図９は相互相関検出制御部と符号一致チップ検出部の動作説明図である。
【図１０】図１０は第３実施例における符号分割多重通信システムである。
【図１１】図１１は第４実施例における符号分割多重通信システムである。
【図１２】図１２は本発明の第５実施例の符号分割多重通信システムである。
【図１３】図１３は本発明の第５実施例の変形例である。
【図１４】図１４は本発明の第６実施例の符号分割多重通信システムである。
【図１５】図１５はＳＩＲ測定回路の構成図である。
【図１６】図１６はＣＤＭＡ送信機の構造である。
【図１７】図１７はＣＤＭＡ受信部の詳細な構成図である。
【図１８】図１８はセクタ化した場合における符号分割多重通信システムの構成図である。
【図１９】図１９は従来式における送受信処理フローである。
【図２０】図２０は擬似雑音系列（拡散符号）間の部分相関特性である。
【図２１】図２１は部分的に相互相関特性が劣化する場合の従来の動作説明図である。
【発明を実施するための形態】
【０００７】
（Ａ）第１実施例 
図１は本発明の符号分割多重信号受信装置を含む符号分割多重通信システムの構成図であり、セクタ化した場合を示している。又、図では１つの基地局装置（送信装置）ＢＳから隣接する２つのセクタ内の移動局装置（受信装置）ＭＳ１，ＭＳ２にそれぞれユーザデータ信号Ｄａｔａ１，Ｄａｔａ２を伝送する場合の例が示されている。
基地局装置ＢＳにおける各セクタ部Ｓｅｃ１，Ｓｅｃ２は個別に指向性を有する送受信アンテナＡＮＴ１，ＡＮＴ２を有しており、その指向特性によって各々が地理的に独立したカバーエリア（セクタ）への送受信を担当している。図１の基地局装置ＢＳ及び移動局装置ＭＳ１，ＭＳ２において、本発明と関係しない部分は省略しているが、省略した部分の構成は図１６、図１７より明らかであろう。
基地局装置（送信装置）ＢＳにおけるセクタ部Ｓｅｃ１，Ｓｅｃ２の各チャネル符号化部ＣＨ−ｃｏｄ１，ＣＨ−ｃｏｄ２は、２つの送信信号Ｄａｔａ１，Ｄａｔａ２に対してそれぞれ誤り訂正符号化処理を施し、符号化された送信信号Ｃｄａｔａ１，Ｃｄａｔａ２を出力する。拡散回路ＳＣ１，ＳＣ２は各送信信号Ｃｄａｔａ１，Ｃｄａｔａ２を拡散符号列ＳＣＤ１，ＳＣＤ２で拡散変調し、拡散された送信信号Ｓｄａｔａ１，Ｓｄａｔａ２を出力する。拡散符号列ＳＣＤ１，ＳＣＤ２は、（１）各チャンネル（各ユーザ）共通に使用されるスクランブリング用の基地局固有の雑音符号列と、（２）各チャネル（各ユーザ）の弁別を行うためのチャネル符号列とを合成した符号列である。拡散変調された送信信号Ｓｄａｔａ１、Ｓｄａｔａ２は、それぞれ図示しない周波数変換器、電力増幅器等を経由して送信アンテナＡＮＴ１、ＡＮＴ２に入力し、各アンテナＡＮＴ１，ＡＮＴ２から空中に放射される。
受信側において、各移動局ＭＳ１、ＭＳ２の逆拡散符号列発生器ＳＣＧ１′，ＳＣＧ２′は送信側で拡散変調に使用した拡散符号列ＳＣＤ１，ＳＣＤ２と同一の逆拡散符号列ＳＣＤ１′，ＳＣＤ２′を発生する。移動局ＭＳ１の相互相関検出部ＣＯＲＲは、第１、第２の逆拡散符号列ＳＣＤ１′，ＳＣＤ２′を監視し、これら２つの逆拡散符号列ＳＣＤ１′，ＳＣＤ２′の１シンボルあたりの相互相関値を順次リアルタイムに演算し、相互相関値が予め定める閾値ＲＥＦを超えたかチェックし、閾値を越えて干渉雑音が大きい時、１シンボル期間受信信号の通過停止を指示する制御信号ＳＴＰを出力する。
遅延部ＤＬＹは相互相関値の演算処理が完了した後に逆拡散信号Ｃｄａｔａ１′がスイッチ部ＳＷに入力するように逆拡散符号列ＳＣＤ１′を所定時間遅延する。逆拡散部ＲＳＣ１は遅延された逆拡散符号列ＳＣＤ１′を用いて受信信号Ｓｄａｔａ１′を逆拡散し、逆拡散信号Ｃｄａｔａ１′をスイッチ部ＳＷに入力する。スイッチ部ＳＷは制御信号ＳＴＰがハイレベルになれば対応する１シンボル期間、逆拡散回路ＲＳＣ１から入力する逆拡散信号Ｃｄａｔａ１′の通過を禁止する。スイッチ部ＳＷは例えば制御信号ＳＴＰがハイレベルの時ゲインが零となるゲイン可変アンプＶＧＡで構成することができる。また、逆拡散復調器の動作をオン／オフすることで等価の動作を行うように構成することもできる。
スイッチング制御された逆拡散信号Ｃｄａｔａ１′は以後チャネル復号化部ＣＨ−ｄｅｃ１に入力する。又、移動局ＭＳ２の逆拡散部ＲＳＣ２は逆拡散符号列ＳＣＤ２′を用いて受信信号Ｓｄａｔａ２′を逆拡散し、逆拡散信号Ｃｄａｔａ２′をスイッチング制御することなくチャネル復号化部ＣＨ−ｄｅｃ２に入力する。
各移動局ＭＳ１，ＭＳ２のチャネル復号化部ＣＨ−ｄｅｃ１，ＣＨ−ｄｅｃ２は、逆拡散信号Ｃｄａｔａ１′，Ｃｄａｔａ２′に対して誤り訂正復号処理を行い最終的な受信データＤａｔａ１′，Ｄａｔａ２′を生成して出力する。この時、スイッチ部ＳＷで通過阻止されたシンボルは、チャネル復号化部ＣＨ−ｄｅｃ１により再生される。
第１実施例によれば拡散符号列間のシンボル毎の相互相関値が大きくなって干渉雑音が増大する場合、雑音増大期間のシンボルを非受信シンボルとして除外して受信処理するから、受信信号の品質改善が可能となる。すなわち、シンボル毎の相互相関値が大きくなって干渉雑音が増大すれば、該シンボルの品質が悪くなったことを信号レベル＝０としてチャネル復号化部に通知し（軟判定尤度情報）、該情報によりチャネル復号化部は該当シンボルの信頼性は低いと判断して誤り訂正処理するため受信品質を改善できる。
・第１変形例 
以上実施例では、移動局ＭＳ１のみで受信信号の通過停止制御をしたが、移動局ＭＳ２でも受信環境の変化により適宜受信信号の通過停止制御を行う。又、以上では、隣接するセクタでそれぞれ使用する拡散符号列をＳＣＤ１，ＳＣＤ２とし、拡散符号列の１つの組み合わせについて説明したが、実際には複数の拡散符号列の組み合わせがあり、適宜の組み合わせについて上記制御を行う。又、以上では隣接するセクタで使用する拡散符号列を考慮した場合であるが、隣接する基地局で使用する拡散符号列に対して上記制御を適用することもできる。これら第１変形例は以降の実施例において同様である。
・第２変形例 
図２は第１実施例の変形例であり、第１実施例と同一部分には同一符号を付している。異なる点は、遅延部の位置である。すなわち、第１実施例では逆拡散符号列ＳＣＤ１′を所定時間遅延したが、変形例では逆拡散回路ＲＳＣ１から出力する逆拡散信号Ｃｄａｔａ１′を所定時間遅延している。すなわち、変形例において遅延部ＤＬＹ′は相互相関値の演算処理が完了した後に逆拡散信号Ｃｄａｔａ１′がスイッチ部ＳＷに入力するように該逆拡散信号Ｃｄａｔａ１′を所定時間遅延する。
・相互相関検出部の構成 
図３は相互相関検出部ＣＯＲＲの構成図、図４はその動作説明図であり、拡散率が４の場合における逆拡散符号列の部分相関を検出する場合を示している。図３、図４において、ＳＣＤ１′，ＳＣＤ２′は相互相関を求める２系統の逆拡散符号列であり、図１の逆拡散符号列発生部ＳＣＧ１′，ＳＣＧ２′の出力である。また、ＳＴＰは図１のスイッチ部ＳＷに入力する逆拡散信号の停止／通過を制御する制御信号である。
入力された２系統の逆拡散符号列ＳＣＤ１′，ＳＣＤ２′はそれぞれ、１チップ分の遅延素子として働く遅延部Ｄ１１〜Ｄ１４，Ｄ２１〜Ｄ２４によってトータル４チップ分順次遅延される。一方の系列の各遅延部Ｄ１１〜Ｄ１４の出力は対応する相手系列の遅延部Ｄ２１〜Ｄ２４の出力と共に排他的論理和回路ＥＸＯＲ１〜ＥＸＯＲ４に入力し、ＥＸＯＲ１〜ＥＸＯＲ４は２入力の値が一致するかどうかにより信号Ｓ０〜Ｓ３を出力する。加算部ＡＤＤは入力された４つの信号Ｓ０〜Ｓ３を参照して一致状態を示している信号を数え、計数結果ＳＵＭを２ビットの信号で出力する。比較器ＣＭＰは計数結果ＳＵＭと閾値ＲＥＦをチップ周期で比較し、ＳＵＭ≧ＲＥＦであればハイレベルの信号ＣＯＲＶＬを出力する。保持部ＬＡＴＣＨはシンボル（４チップ）毎に出力するシンボルクロックＳＣＬＫに同期してこの信号ＣＯＲＶＬを保持し、保持信号を制御信号ＳＴＰとして出力する。これにより、スイッチ部ＳＷは制御信号ＳＴＰがハイレベルのシンボル期間、すなわち干渉雑音が大きくなるシンボル期間、逆拡散信号Ｃｄａｔａ１′の通過を停止する。 以上では拡散率＝４の場合について説明したが、拡散率がより長い場合には、（１）遅延素子の段数がそれに応じて増加し、かつ、（２）対応する加算部ＡＤＤの加算信号数の増加、（３）加算結果ＳＵＭや閾値ＲＥＦの情報ビット数が増加する構成となる。
・相互相関検出部の別の構成 
図５は相互相関検出部ＣＯＲＲの別の構成図、図６はその動作説明図である。図５において図３の構成と同一部分には同一符号を付している。異なる点は、図５の相互相関検出部ＣＯＲＲでは、加算結果ＳＵＭをシンボル（この場合は４チップ）毎にクロック発生器ＳＣＬＫＧＥＮから出力するシンボルクロックＳＣＬＫを使って保持部ＬＡＴＣＨに保持し、比較器ＣＭＰはこの保持された加算結果（シンボル毎の相互相関値）ＣＯＲＶと閾値ＲＥＦを比較し、相互相関値ＣＯＲＶが閾値ＲＥＦ以上であればハイレベルの制御信号ＳＴＰを出力する点である。
図５において、加算器ＡＤＤが４つの信号Ｓ０〜Ｓ３を参照して一致を示している信号を数え、計数結果ＳＵＭを２ビットの信号で出力する。保持部ＬＡＴＣＨはシンボル（４チップ）毎に出力するシンボルクロックＳＣＬＫに同期して計数結果ＳＵＭを保持し、比較器ＣＭＰは保持されている計数結果、すなわち、相互相関値ＣＯＲＶと閾値ＲＥＦを比較し、ＣＯＲＶ≧ＲＥＦであればハイレベルの信号ＳＴＰを出力する。
（Ｂ）第２実施例 
図７は本発明の第２実施例における符号分割多重通信システムの構成図であり、図１の第１実施例と同一部分には同一符号を付している。異なる点は、
（１）２つの拡散符号列ＳＣＤ１′，ＳＣＤ２′のシンボル毎の相互相関値が閾値ＲＥＦ以上になったとき、シンボル区間において符号が一致するチップを検出し、一致する各チップ期間においてハイレベルとなる制御信号ＣＳＴＰを出力する符号一致チップ検出部ＣＤＣＩを設けた点、
（２）スイッチ部ＳＷを逆拡散部ＲＳＣ１の前段に移した点、 
（３）シンボル毎の相互相関値が閾値ＲＥＦ以上になったとき、シンボル区間全部でなく、シンボル区間内の符号一致チップ区間で受信信号Ｓｄａｔａ１′の通過を禁止する点、である。
基地局装置（送信装置）ＢＳにおけるセクタ部Ｓｅｃ１，Ｓｅｃ２の各チャネル符号化部ＣＨ−ｃｏｄ１，ＣＨ−ｃｏｄ２は、２つの送信信号Ｄａｔａ１，Ｄａｔａ２に対してそれぞれ誤り訂正符号化処理を施し、符号化された送信信号Ｃｄａｔａ１，Ｃｄａｔａ２を出力する。拡散回路ＳＣ１，ＳＣ２は各送信信号Ｃｄａｔａ１，Ｃｄａｔａ２を拡散符号列ＳＣＤ１，ＳＣＤ２で拡散変調し、拡散された送信信号Ｓｄａｔａ１，Ｓｄａｔａ２を出力する。拡散変調された送信信号Ｓｄａｔａ１、Ｓｄａｔａ２は、それぞれ図示しない周波数変換器、電力増幅器等を経由して送信アンテナＡＮＴ１、ＡＮＴ２に入力し、各アンテナＡＮＴ１，ＡＮＴ２から空中に放射される。
受信側において、各移動局ＭＳ１，ＭＳ２の逆拡散符号列発生器ＳＣＧ１′，ＳＣＧ２′は送信側で拡散変調に使用した拡散符号列ＳＣＤ１，ＳＣＤ２と同一の逆拡散符号列ＳＣＤ１′，ＳＣＤ２′を発生する。移動局ＭＳ１の相互相関検出部ＣＯＲＲは、第１、第２の逆拡散符号列ＳＣＤ１′，ＳＣＤ２′を監視し、これら２つの逆拡散符号列ＳＣＤ１′，ＳＣＤ２′の１シンボルあたりの相互相関値を順次リアルタイムに演算し、相互相関値が予め定める閾値ＲＥＦを超えたかチェックし、閾値を越えて干渉雑音が大きい時、１シンボル期間ハイレベルの信号ＧＡＴＥを出力する。符号一致チップ検出部ＣＤＣＩは、シンボル当りの相互相関値が閾値以上になれば、信号Ｓ３（後述）を用いて該シンボル区間において拡散符号列ＳＣＤ１′，ＳＣＤ２′の符号が一致するチップを検出し、一致する各チップ期間においてハイレベルとなる制御信号ＣＳＴＰを出力する。
遅延部ＤＬＹは相互相関値の演算処理および符号一致チップ検出処理が完了した後に逆拡散符号ＳＣＤ１′が逆拡散部ＲＳＣ１に入力される様に逆拡散符号列ＳＣＤ１′を所定時間遅延する。受信信号Ｓｄａｔａ１′はスイッチ部ＳＷを経由して逆拡散部ＲＳＣ１へ入力される。スイッチ部ＳＷは制御信号ＣＳＴＰがハイレベルになれば対応する１チップ期間受信信号Ｓｄａｔａ１′の通過を禁止する。以後、チップ単位でスイッチング制御された受信信号Ｓｄａｔａ１′は逆拡散部ＲＳＣ１に入力される。逆拡散部ＲＳＣ１は、スイッチング制御された受信信号Ｓｄａｔａ１′を逆拡散するが、スイッチ部ＳＷで通過を阻止されたチップ部分については逆拡散復調処理に寄与しない。逆拡散された信号Ｃｄａｔａ１′はチャネル復号化部ＣＨ−ｄｅｃ１に入力される。又、移動局ＭＳ２の逆拡散部ＲＳＣ２は逆拡散符号列ＳＣＤ２′を用いて受信信号Ｓｄａｔａ２′を逆拡散し、逆拡散信号Ｃｄａｔａ２′をスイッチング制御することなくチャネル復号化部ＣＨ−ｄｅｃ２に入力する。
各移動局ＭＳ１，ＭＳ２のチャネル復号化部ＣＨ−ｄｅｃ１，ＣＨ−ｄｅｃ２は逆拡散信号Ｃｄａｔａ１′，Ｃｄａｔａ２′に対して誤り訂正復号処理を行い最終的な受信データＤａｔａ１′，Ｄａｔａ２′を生成して出力する。この時、スイッチ部ＳＷで逆拡散前に部分的に通過阻止されたシンボルは、チャネル復号化部ＣＨ−ｄｅｃ１により再生される。
第２実施例によれば干渉雑音が大きくなるシンボル期間内の特に干渉が大きくなるチップ期間を除外して受信処理するから、受信信号の品質改善ができる。又、シンボル期間内の受信状態が良好なチップの逆拡散信号を用いて復号処理できるため、受信信号の品質改善効果を向上できる。
・相互相関検出部及び符号一致チップ検出部の構成 
図８は相互相関検出部ＣＯＲＲ及び符号一致チップ検出部ＣＤＣＩの構成図、図９はその動作説明図であり、図８の相互相関検出部ＣＯＲＲの構成は図５における構成と同一である。図８において、ＳＣＤ１′，ＳＣＤ２′は相互相関を求める２系統の逆拡散符号列で、図７の拡散符号列発生部ＳＣＧ１′，ＳＣＧ２′の出力である。又、ＣＳＴＰは図７のスイッチ部ＳＷに入力するチップ期間毎に逆拡散信号Ｃｄａｔａ１′の停止／通過を制御する制御信号である。
入力された２系統の逆拡散符号列ＳＣＤ１′，ＳＣＤ２′はそれぞれ、１チップ分の遅延素子として働く遅延部Ｄ１１〜Ｄ１４，Ｄ２１〜Ｄ２４によってトータル４チップ分遅延される。一方の系列の各遅延部Ｄ１１〜Ｄ１４の出力は対応する相手系列の遅延部Ｄ２１〜Ｄ２４の出力と共に排他的論理和回路ＥＸＯＲ１〜ＥＸＯＲ４に入力し、ＥＸＯＲ１〜ＥＸＯＲ４は２入力の値が一致するかどうかにより信号Ｓ０〜Ｓ３を出力する。信号Ｓ３はシンボル期間における第１チップの一致／不一致を示す信号、信号Ｓ２はシンボル期間における第２チップの一致／不一致を示す信号、信号Ｓ１はシンボル期間における第３チップの一致／不一致を示す信号、信号Ｓ０はシンボル期間における第４チップの一致／不一致を示す信号である。加算部ＡＤＤは入力された４つの信号Ｓ０〜Ｓ３を参照して一致状態を示している信号数を数え、計数結果ＳＵＭを２ビットの信号で出力する。この計数結果ＳＵＭは、各シンボル（この場合は４チップ）毎にクロック発生器ＳＣＬＫＧＥＮから出力するシンボルクロックＳＣＬＫを使って保持部ＬＡＴＣＨに保持される。比較器ＣＭＰはこの保持された計数値（シンボル毎の相互相関値）ＣＯＲＶと閾値ＲＥＦを比較し、相互相関値ＣＯＲＶが閾値ＲＥＦ以上であればハイレベルの信号ＧＡＴＥを出力する。符号一致チップ検出部ＣＤＣＩは、遅延素子Ｄ３で信号Ｓ３を１チップ分遅延した信号Ｓ３Ｄと信号ＧＡＴＥとの論理積を論理積部ＡＮＤで演算し、信号ＧＡＴＥがハイレベルとなっている期間においてこの信号Ｓ３Ｄを制御信号ＣＳＴＰとして出力する。制御信号ＣＳＴＰは、シンボル毎の相関値ＣＯＲＶが予め定める閾値ＲＥＦ以上の時に、そのシンボル内で相互の符号系列の値が一致しているチップ部分のみでハイレベルとなるもので、図７のスイッチ部ＳＷはこの制御信号ＣＳＴＰにより逆拡散信号Ｃｄａｔａ１′のチップ単位の通過許可／禁止制御を実行する。
（Ｃ）第３実施例 
図１０は本発明の第３実施例における符号分割多重通信システムの構成図であり、図１の第１実施例と同一部分には同一符号を付している。異なる点は、第１実施例のスイッチ部ＳＷに替えて、レベル変更部ＬＶＣを設けた点である。レベル変更部ＬＶＣは、（１）相互相関値が小さい良好な通信状態（制御信号ＳＴＰ＝ローレベル）では、逆拡散回路ＲＳＣ１から出力する逆拡散信号Ｃｄａｔａ１′をそのままチャネル復号化部ＣＨ−ｄｅｃ１に入力し、（２）相互相関値が大きくなって干渉雑音が大きい通信状態（制御信号ＳＴＰ＝ハイレベル）では、逆拡散回路ＲＳＣ１から出力する逆拡散信号Ｃｄａｔａ１′のレベルを予め定める小さい値（例えばアースレベル）に変更してチャネル復号化部ＣＨ−ｄｅｃ１に入力する。
基地局装置（送信装置）ＢＳにおけるセクタ部Ｓｅｃ１，Ｓｅｃ２の各チャネル符号化部ＣＨ−ｃｏｄ１，ＣＨ−ｃｏｄ２は、２つの送信信号Ｄａｔａ１，Ｄａｔａ２に対してそれぞれ誤り訂正符号化処理を施し、符号化された送信信号Ｃｄａｔａ１，Ｃｄａｔａ２を出力する。拡散回路ＳＣ１，ＳＣ２は各送信信号Ｃｄａｔａ１，Ｃｄａｔａ２を拡散符号列ＳＣＤ１，ＳＣＤ２で拡散変調し、拡散された送信信号Ｓｄａｔａ１，Ｓｄａｔａ２を出力する。拡散変調された送信信号Ｓｄａｔａ１、Ｓｄａｔａ２は、それぞれ図示しない周波数変換器、電力増幅器等を経由して送信アンテナＡＮＴ１、ＡＮＴ２に入力し、各アンテナＡＮＴ１，ＡＮＴ２から空中に放射される。
受信側において、移動局ＭＳ１，ＭＳ２の逆拡散符号列発生器ＳＣＧ１′，ＳＣＧ２′は送信側で拡散変調に使用した拡散符号列ＳＣＤ１，ＳＣＤ２と同一の逆拡散符号列ＳＣＤ１′，ＳＣＤ２′を発生する。移動局ＭＳ１の相互相関検出部ＣＯＲＲは、第１、第２の逆拡散符号列ＳＣＤ１′，ＳＣＤ２′を監視し、これら２つの逆拡散符号列ＳＣＤ１′，ＳＣＤ２′の１シンボルあたりの相互相関値を順次リアルタイムに演算し、相互相関値が予め定める閾値ＲＥＦを超えたかチェックし、閾値を越えて干渉雑音が大きいた時、１シンボル期間信号Ｃｄａｔａ′のレベルを予め定めた小さい値とするための制御信号ＳＴＰを出力する。
遅延部ＤＬＹは相互相関値の演算処理が完了した後に逆拡散信号Ｃｄａｔａ１′がレベル変更部ＬＶＣに入力するように逆拡散符号列ＳＣＤ１′を所定時間遅延する。逆拡散部ＲＳＣ１は遅延された逆拡散符号列ＳＣＤ１′を用いて受信信号Ｓｄａｔａ１′を逆拡散し、逆拡散信号Ｃｄａｔａ１′をレベル変更部ＬＶＣに入力する。レベル変更部ＬＶＣは制御信号ＳＴＰがローレベルであれば、逆拡散回路ＲＳＣ１から入力する逆拡散信号Ｃｄａｔａ１′をそのまま出力し、制御信号ＳＴＰがハイレベルになれば対応する１シンボル期間、逆拡散信号Ｃｄａｔａ１′のレベルをアースレベルに変更する。レベル変更処理された逆拡散信号Ｃｄａｔａ１′は以後チャネル復号化部ＣＨ−ｄｅｃ１に入力する。又、移動局ＭＳ２の逆拡散部ＲＳＣ２は逆拡散符号列ＳＣＤ２′を用いて受信信号Ｓｄａｔａ２′を逆拡散し、逆拡散信号Ｃｄａｔａ２′をレベル変更処理することなくチャネル復号化部ＣＨ−ｄｅｃ２に入力する。
各移動局ＭＳ１，ＭＳ２のチャネル復号化部ＣＨ−ｄｅｃ１，ＣＨ−ｄｅｃ２は逆拡散信号Ｃｄａｔａ１′，Ｃｄａｔａ２′に対して誤り訂正復号処理を行い最終的な受信データＤａｔａ１′，Ｄａｔａ２′を生成して出力する。この時、レベル変更部ＬＶＣでアースレベル変更されたシンボルは、チャネル復号化部ＣＨ−ｄｅｃ１により再生される。
第３実施例によれば拡散符号列間の相互相関値が大きくなって干渉雑音が増大する場合、雑音増大期間のシンボルを非受信シンボルとして除外して受信処理するから、受信信号の品質改善が可能となる。すなわち、逆拡散信号Ｃｄａｔａ１′の”０”，”１”は正確にはレベル＋１，−１でチャネル復号化部ＣＨ−ｄｅｃ１に入力する。しかし、シンボル毎の相互相関値が大きくなって干渉雑音が増大すれば、レベル変更部ＬＶＣは該シンボル部分でレベル０（＝アースレベル）をチャネル復号化部ＣＨ−ｄｅｃ１に入力する。この結果、チャネル復号化部はレベル０のシンボルの信頼性は低いと判断して誤り訂正処理ができ、受信品質を改善することができる。
（Ｄ）第４実施例 
図１１は本発明の第４実施例における符号分割多重通信システムの構成図であり、図１０の第３実施例と同一部分には同一符号を付している。異なる点は、
（１）２つの逆拡散符号列ＳＣＤ１′，ＳＣＤ２′のシンボル毎の相互相関値が閾値ＲＥＦ以上になったとき、シンボル区間において符号が一致するチップを検出し、一致する各チップ期間においてハイレベルとなる制御信号ＣＳＴＰを出力する符号一致チップ検出部ＣＤＣＩを設けた点、
（２）レベル変更部ＬＶＣを逆拡散部ＲＳＣ１の前段に移した点、 
（３）シンボル毎の相互相関値が閾値ＲＥＦ以上になったとき、シンボル区間全部でレベル変更せず、シンボル区間内の符号一致チップ区間（制御信号ＣＳＴＰがハイレベルの区間）で受信信号Ｓｄａｔａ１′のレベルをアースレベルに変更して出力する点、である。
相互相関検出部ＣＯＲＲ及び符号一致チップ検出部ＣＤＣＩは図８に示す構成をそのまま利用できる。又、第３実施例と第４実施例の関係は、第１実施例と第２実施例の関係と同じであり、動作説明は省略する。
（Ｅ）第５実施例 
図１２は本発明の第５実施例における符号分割多重通信システムの構成図であり、図１の第１実施例と同一部分には同一符号を付している。異なる点は、
（１）２つの逆拡散符号列ＳＣＤ１′、ＳＣＤ２′の相互相関演算を第１実施例のようにリアルタイムに行わずに予めオフラインで実行しておく点、
（２）遅延部ＤＬＹを削除した点、 である。
通信の開始に先立って、移動局ＭＳ１のスイッチ部ＳＷＣは逆拡散符号列発生器ＳＣＧ１′から出力する逆拡散符号列ＳＣＤ１′を相互相関検出部ＣＯＲＲに入力する。相互相関検出部ＣＯＲＲは逆拡散符号列ＳＣＤ１′と逆拡散符号列発生器ＳＣＧ２′から出力する逆拡散符号列ＳＣＤ２′のシンボル毎の相互相関値を演算し、相互相関値が予め定める閾値ＲＥＦを超えるかチェックし、越える場合にはそのシンボル位置を制御部ＣＮＴに出力する。相互相関検出部ＣＯＲＲは最初の逆拡散符号列ＳＣＤ１′，ＳＣＤ２′が再度出現するまで（１周期）上記処理を行い、制御部ＣＮＴは相互相関値が予め定める閾値ＲＥＦを超える全シンボル位置を保存する。上記前処理が終了すれば、スイッチ部ＳＷＣは逆拡散符号列ＳＣＤ１′の出力先を逆拡散回路ＲＳＣ１に切り替える。
以上の状態で、基地局装置（送信装置）ＢＳにおけるセクタ部Ｓｅｃ１，Ｓｅｃ２の各チャネル符号化部ＣＨ−ｃｏｄ１，ＣＨ−ｃｏｄ２は、２つの送信信号Ｄａｔａ１，Ｄａｔａ２に対してそれぞれ誤り訂正符号化処理を施し、符号化された送信信号Ｃｄａｔａ１，Ｃｄａｔａ２を出力する。拡散回路ＳＣ１，ＳＣ２は各送信信号Ｃｄａｔａ１，Ｃｄａｔａ２を拡散符号列ＳＣＤ１，ＳＣＤ２で拡散変調する。拡散変調された送信信号Ｓｄａｔａ１、Ｓｄａｔａ２は、それぞれ図示しない周波数変換器、電力増幅器等を経由して送信アンテナＡＮＴ１、ＡＮＴ２に入力され、各アンテナＡＮＴ１，ＡＮＴ２から空中に放射される。
受信側において、各移動局ＭＳ１，ＭＳ２の逆拡散符号列発生器ＳＣＧ１′，ＳＣＧ２′は送信側で拡散変調に使用した拡散符号列ＳＣＤ１，ＳＣＤ２と同一の逆拡散符号列ＳＣＤ１′，ＳＣＤ２′を発生する。移動局ＭＳ１の逆拡散回路ＲＳＣ１は逆拡散符号列ＳＣＤ１′を用いて受信信号Ｓｄａｔａ１′を逆拡散し、逆拡散信号Ｃｄａｔａ１′をスイッチ部ＳＷに入力する。又、制御部ＣＮＴは保存情報に基づいて相互相関値が予め定める閾値ＲＥＦを超えるシンボル位置でハイレベルとなる制御信号ＳＴＰを出力する。
スイッチ部ＳＷは制御信号ＳＴＰがハイレベルになれば対応する１シンボル期間、逆拡散回路ＲＳＣ１から入力する逆拡散信号Ｃｄａｔａ１′の通過を禁止する。スイッチング制御された逆拡散信号Ｃｄａｔａ１′は以後チャネル復号化部ＣＨ−ｄｅｃ１に入力する。又、移動局ＭＳ２の逆拡散部ＲＳＣ２は逆拡散符号列ＳＣＤ２′を用いて受信信号Ｓｄａｔａ２′を逆拡散し、逆拡散信号Ｃｄａｔａ２′をスイッチング制御することなくチャネル復号化部ＣＨ−ｄｅｃ２に入力する。
各移動局のチャネル復号化部ＣＨ−ｄｅｃ１，ＣＨ−ｄｅｃ２は逆拡散信号Ｃｄａｔａ１′，Ｃｄａｔａ２′に対して誤り訂正復号処理を行い最終的な受信データＤａｔａ１′，Ｄａｔａ２′を生成して出力する。この時、スイッチ部ＳＷで通過阻止されたシンボルは、チャネル復号化部ＣＨ−ｄｅｃ１により再生される。
第５実施例はシンボル毎に逆拡散信号の通過を阻止する場合であるが、相関値が閾値以上となるシンボルにおいて同一符号のみチップ毎に逆拡散信号の通過を阻止するように構成することもできる。かかる場合には、図１３に示すように相互相関検出制御部ＣＯＲＲの後段に符号一致検出部ＣＤＣＩを設けると共にスイッチ部ＳＷを逆拡散部ＲＳＣ１の前段に移動する。そして、２つの逆拡散符号列ＳＣＤ１′，ＳＣＤ２′のシンボル毎の相互相関値が閾値ＲＥＦ以上になったとき、両符号列の符号が一致するチップ位置を検出して制御部ＣＮＴに入力する。制御部ＣＮＴは通信時、保存したチップ位置においてハイレベルの制御信号ＣＳＴＰを出力する。
第５実施例によれば、拡散符号列間の相互相関値が大きくなって干渉雑音が増大する期間のシンボルを非受信シンボルとして除外して受信処理するから、受信信号の品質改善が可能となる。又、第５実施例によれば、逆拡散符号列ＳＣＤ１′、ＳＣＤ２′の相互相関演算をリアルタイムに行う必要がないため、遅延部によるタイミング合わせをする必要がない。
（Ｆ）第６実施例 
図１４は第６実施例の符号分割多重通信システムの構成図であり、図２の第１実施例の変形例と同一部分には同一符号を付している。異なる点は、第１実施例では２つの符号列間の相互相関値に基づいてスイッチ部ＳＷにおいて逆拡散信号の通過制御を行っているが、第６実施例では信号対雑音比（ＳＩＲ）に基づいてスイッチ部ＳＷにおいて逆拡散信号の通過制御を行う点である。
基地局装置（送信装置）ＢＳにおけるセクタ部Ｓｅｃ１，Ｓｅｃ２の各チャネル符号化部ＣＨ−ｃｏｄ１，ＣＨ−ｃｏｄ２は、２つの送信信号Ｄａｔａ１，Ｄａｔａ２に対してそれぞれ誤り訂正符号化処理を施し、符号化された送信信号Ｃｄａｔａ１，Ｃｄａｔａ２を出力する。拡散回路ＳＣ１，ＳＣ２は各送信信号Ｃｄａｔａ１，Ｃｄａｔａ２を拡散符号列ＳＣＤ１，ＳＣＤ２で拡散変調し、拡散された送信信号Ｓｄａｔａ１，Ｓｄａｔａ２を出力する。拡散変調された送信信号Ｓｄａｔａ１、Ｓｄａｔａ２は、それぞれ図示しない周波数変換器、電力増幅器等を経由して送信アンテナＡＮＴ１、ＡＮＴ２に入力され、各アンテナＡＮＴ１，ＡＮＴ２から空中に放射される。
受信側において、各移動局ＭＳ１、ＭＳ２の逆拡散符号列発生器ＳＣＧ１′，ＳＣＧ２′は送信側で拡散変調に使用した拡散符号列ＳＣＤ１，ＳＣＤ２と同一の逆拡散符号列ＳＣＤ１′，ＳＣＤ２′を発生し、逆拡散部ＲＳＣ１，ＲＳＣ２は遅延された逆拡散符号列ＳＣＤ１′，ＳＣＤ２′を用いて受信信号Ｓｄａｔａ１′，Ｓｄａｔａ２′を逆拡散し、逆拡散信号Ｃｄａｔａ１′，Ｃｄａｔａ２′を出力する。
移動局ＭＳ１の信号対雑音比測定部（ＳＩＲＭ）は逆拡散信号Ｃｄａｔａ１′に基づいて信号雑音比ＳＩＲを測定し、平均化部ＡＣＣは予め定める期間における信号雑音比ＳＩＲの移動平均値を演算し、比較部ＣＭＰ１は平均値ＳＩＲＡと閾値ＲＥＦと比較する。平均化された信号雑音比ＳＩＲＡが閾値ＲＥＦ以下になれば、次の移動平均が求まるまでの期間のシンボルに応じた逆拡散信号Ｃｄａｔａ１′の通過を阻止するための制御信号ＳＴＰをスイッチ部ＳＷ１に送出する。
遅延部ＤＬＹ′は信号雑音比ＳＩＲＡと閾値ＲＥＦの大小比較処理が完了した後に逆拡散信号Ｃｄａｔａ１′がスイッチ部ＳＷに入力するように該逆拡散信号を所定時間遅延する。スイッチ部ＳＷは制御信号ＳＴＰがハイレベルになれば対応する１シンボル期間、逆拡散回路ＲＳＣ１から入力する逆拡散信号Ｃｄａｔａ１′の通過を禁止する。スイッチング制御された逆拡散信号Ｃｄａｔａ１′は以後チャネル復号化部ＣＨ−ｄｅｃ１に入力する。又、移動局ＭＳ２の逆拡散部ＲＳＣ２は逆拡散符号列ＳＣＤ２′を用いて受信信号Ｓｄａｔａ２′を逆拡散し、逆拡散信号Ｃｄａｔａ２′をスイッチング制御することなくチャネル復号化部ＣＨ−ｄｅｃ２に入力する。
各移動局ＭＳ１，ＭＳ２のチャネル復号化部ＣＨ−ｄｅｃ１，ＣＨ−ｄｅｃ２は、逆拡散信号Ｃｄａｔａ１′，Ｃｄａｔａ２′に対して誤り訂正復号処理を行い最終的な受信データＤａｔａ１′，Ｄａｔａ２′を生成して出力する。この時、スイッチ部ＳＷで通過阻止されたシンボルは、チャネル復号化部ＣＨ−ｄｅｃ１により再生される。
尚、第６実施例においてスイッチ部ＳＷの代わりにレベル変更部ＬＶＣを用いることができる。
第６実施例によれば干渉雑音比ＳＩＲが大きくなったとき、シンボルを非受信シンボルとして除外して受信処理するから、受信信号の品質改善が可能となる。すなわち、シンボル毎のＳＩＲが劣化して干渉雑音が増大すれば、該シンボルの品質が悪くなったことを信号レベル＝０としてチャネル復号化部に通知し（軟判定尤度情報）、該情報によりチャネル復号化部は該当シンボルの信頼性は低いと判断して誤り訂正処理するため受信品質を改善できる。
・信号対雑音比測定部 
図１５は信号対雑音比測定部ＳＩＲＭの構成図である。サンプラーＳＰＬはシンボル識別タイミング（シンボル周期Ｔｓ）で逆拡散信号Ｃｄａｔａ１′の電圧値をサンプリングし、１シンボル時間Ｔｓ毎のサンプルデータ列を出力する。第１平均化部ＡＶＲ１はこのデータ列を入力され、予め定める期間（例えば１ｍｓｅｃ）移動平均し、移動平均値をシンボル周期で出力する。二乗部ＳＱＲ１は受信信号電力Ｓを求めるために移動平均値を二乗する。一方、演算部ＣＡＬはサンプリングしたデータ列と移動平均値との差分を演算し、二乗部ＳＱＲ２は該差分を二乗し、さらに、第２平均化部ＡＶＲ２は一定期間（例えば１ｍｓｅｃ）移動平均し、干渉電力Ｉをサンプルデータの分散として求める。除算部ＤＩＶは受信信号電力Ｓを干渉電力Ｉで除算することにより、信号対雑音比ＳＩＲを出力する。
以上の実施例では、逆拡散符号列は所定の周期で循環的に繰り返される符号列を想定したが、次のように逆拡散符号列を作成することができる。例えば、ｎビットのシフトレジスタを用いて符号長２ｎ−１の逆拡散符号列を発生し、この逆拡散符号列より１０ｍｓｅｃに相当する長さの符号列部分を切り出し、該切り出した部分符号列を１０ｍｓｅｃ毎に繰り返し発生することにより逆拡散符号列を作成する。拡散符号列も同様である。
又、以上の実施例では拡散符号列同士の相互相関値に基づいて受信信号部分の通過を停止しているが、送信するシンボルを拡散符号系列で拡散した後の拡散信号間の相互相関値に基づいて受信信号部分の通過停止制御を行なうことができる。
以上本発明の符号分割多重信号受信装置によれば、相互相関の局所的な劣化に起因して干渉雑音が増大する特定のシンボル部分を予め除外して受信処理できるため、受信信号の品質改善が可能となる。
【図１】
0004326218.tif 000003
【図２】
0004326218.tif 000004
【図３】
0004326218.tif 000005
【図４】
0004326218.tif 000006
【図５】
0004326218.tif 000007
【図６】
0004326218.tif 000008
【図７】
0004326218.tif 000009
【図８】
0004326218.tif 000010
【図９】
0004326218.tif 000011
【図１０】
0004326218.tif 000012
【図１１】
0004326218.tif 000013
【図１２】
0004326218.tif 000014
【図１３】
0004326218.tif 000015
【図１４】
0004326218.tif 000016
【図１５】
0004326218.tif 000017
【図１６】
0004326218.tif 000018
【図１７】
0004326218.tif 000019
【図１８】
0004326218.tif 000020
【図１９】
0004326218.tif 000021
【図２０】
0004326218.tif 000022
【図２１】
0004326218.tif 000023